(57)【要約】      （修正有）【課題】本発明は、スマートフォン等にダウンロードして利用するアプリに、閲覧制限を加える場合を設ける技術を提供する。【解決手段】コンテンツの閲覧制限をするロックとロック解除の処理フローにおいて、処理フローが「開始」２０の際には「コンテンツロック（閲覧制限）」２１の状態になっている。その後ＧＰＳ等で「現在地が目的地に近い？」２２か否かが判断される。目的地に近ければ「ロック解除」２５が行われ、コンテンツの閲覧は制限されなくなる。閲覧制限がなくなって、博物館等での展示品の観賞を終えて、博物館等から離れれば「目的地から離れた？」２７のチェックが行われ、離れていれば、再び「コンテンツのロック（閲覧制限）」２６かかる。【選択図】図２
2018041422.tif 000002
【特許請求の範囲】
【請求項１】
観光客が持つモバイルコンピューター端末に内蔵された位置検出手段と、当該モバイルコンピューター端末にダウンロードされたアプリのコンテンツの閲覧のロック機能を連動させ、前記モバイルコンピューター端末の存する位置と博物館等との距離の遠近により、前記ロック機能が働いて前記コンテンツの閲覧が制限され、又は前記制限が解除されることを特徴とするモバイルコンピューター端末を利用する観光ガイドアプリ。
【請求項２】
前記モバイルコンピューター端末の存する位置と博物館等との距離が遠い場合にはロック機能が働いて前記コンテンツの閲覧が制限される一方、前記モバイルコンピューター端末の存する位置と博物館等との距離が近い場合には前記制限が解除されるようにした請求項１に記載したモバイルコンピューター端末を利用する観光ガイドアプリ。
【請求項３】
前記モバイルコンピューター端末の存する位置と博物館等との距離が近い場合には、前記モバイルコンピューター端末を持つ観光客が博物館等へ到着した場合を含むものである請求項２に記載したモバイルコンピューター端末を利用する観光ガイドアプリ。
【請求項４】
前記位置検出手段はＧＰＳである請求項１乃至３のいずれかに記載したモバイルコンピューター端末を利用する観光ガイドアプリ。
【請求項５】
前記位置検出手段はビーコンを利用するものであるである請求項１乃至３のいずれかに記載したモバイルコンピューター端末を利用する観光ガイドアプリ。
【請求項６】
前記位置検出手段はＮＦＣを利用するものである請求項１乃至３のいずれかに記載したモバイルコンピューター端末を利用する観光ガイドアプリ。
【請求項７】
前記ロック機能が働いてモバイルコンピューター端末へダウンロードされたアプリのコンテンツの閲覧が制限されるのは、前記コンテンツのうち一部のコンテンツであり、その残余のコンテンツは閲覧可能である請求項１乃至６のいずれかに記載したモバイルコンピューター端末を利用する観光ガイドアプリ。
【請求項８】
前記ロック機能が働いて前記一部のコンテンツの閲覧が制限される場合、その残余の閲覧可能なコンテンツのダウンロードは無料であり、閲覧制限を解除してすべてのコンテンツを閲覧可能にした場合には前記すべてのコンテンツのダウンロードは有料である請求項７に記載のモバイルコンピューター端末を利用する観光ガイドアプリ。
【請求項９】
前記すべてのコンテンツを有料でダウンロードした観光客等に対しては博物館等への入場料等の全部又は一部の支払いが免除されるようにした請求項８に記載したモバイルコンピューター端末を利用する観光ガイドアプリ。
【発明の詳細な説明】
【技術分野】
【０００１】
本発明は  スマートフォン等のモバイルコンピューター端末にダウンロードして利用するアプリケーション（以下、「アプリ」という。）に係り、特に、博物館、美術館又は観光地等（以下、「博物館等」という。）が発注して制作するアプリに関する。
なお、ここで、モバイルコンピューター端末とは、通信機能を持ち、かつ、単体でもマルチメディアが扱えるものをいう。
【背景技術】
【０００２】
博物館等が発注して制作するアプリがアプリ提供サーバー等にアップロードされ、それらを観光客等がスマートフォン等にダウンロードして利用することは、特に、旅先での利用に便利なこともあって、既に行われている。
これにより、観光客等は博物館等の概要を知ることができて、そこを訪問するか否かの判断をすることができる。
一方、博物館等からすると、その内容の一部を前記アプリを通じて公開することにより、広報宣伝を行うことができて、博物館等への訪問意欲を促して、当該博物館等に来館・来場する客を増やすことができる。
また、このようなアプリは、博物館等に到着後は展示品の説明や経路案内をすることにも利用し得る。
【０００３】
ところで、観光客等が博物館等に到着する前に、スマートフォン等のモバイルコンピューター端末へアプリ提供サーバー等からダウンロードしたアプリの展示品等のコンテンツをすべて閲覧できて詳しい解説も受けられるとすれば、観光客等はそれだけで展示品等の観賞の目的のほとんどを達成し、実際の来館・来場はしなくなることも考えられる。しかし、博物館等やそれらに関連する国、地方自治体、経営者等は、観光客等の実際の来館・来場を期待する傾向が強い場合もあり、
また、博物館等の重要な所蔵品を、館外等でむやみに閲覧できるようにしてしまうことに抵抗感がある場合もある。
【０００４】
しかしながら、観光客等が博物館等に到着する前に、展示品等のコンテンツのすべてを閲覧できないとすれば、前記広報宣伝により観光客等の来館・来場する意欲を刺激することができず、当該アプリの集客機能を発揮できないことになる。
本発明はこのような背景技術の上に行われたものである。
【０００５】
本発明に関する従来技術として、特許文献１の発明は、携帯端末にかかる装置上の負担の増大を抑制しつつ、必要な情報を的確に得ようとするものである。そのために携帯端末に配信する配信情報を特定し、読み取りセンサーから送信された通知先情報で示される通知先に、その特定された配信情報を配信するものである。
【０００６】
特許文献２の発明は、豊富な情報が得られる携帯型端末を提供することを目的としている。そして、ユーザーが現在地や目的地、移動の目的などの経路探索条件を携帯端末に入力すると、その経路探索条件がナビゲーションサーバーに送信され、該ナビゲーションサーバーからは、経路探索条件に対応するガイダンスデータ及び地図データが検出され、携帯端末に提供されるようにしたものである。
【０００７】
特許文献３の発明は、観光地の観光ポイントや展示物の説明ポイント等において、ユーザーに適合度の高いガイド情報を提供するシステム、方法及びコンピュータ―プログラムを提供することを目的とするものである。
【０００８】
特許文献４の発明は、携帯電話機のスライドなどのタッチ操作が行われるタッチパネルを有し、タッチ操作に基づいて所定の処理が実行されないようにするロック機能を有するものである。
【０００９】
しかし、上記各特許文献記載の発明は、いずれも、モバイルコンピューター端末の存する位置と博物館等との位置関係に関わらず、観光客等は博物館等へ訪れる意思がなくても前記アプリをダウンロードしてコンテンツの閲覧が可能となる。        
【先行技術文献】
【特許文献】
【００１０】
【特許文献１】特開２００３−２３６６６
【特許文献２】特開２０１０−７１９９３
【特許文献３】特開２０１０−１５２５８８
【特許文献４】特開２０１４−２４１６０２
【発明の概要】
【発明が解決しようとする課題】
【００１１】
そこで、本発明は、観光客等が博物館等に到着するか近づく前には、アプリのコンテンツの閲覧を制限する一方で、観光客等が博物館等に到着後又は博物館等に近づくことにより博物館等への訪問意思が確認できた場合には、すべてのコンテンツを閲覧できるようにして、博物館等の内外で、展示品等の観賞を十分に行えるようにする技術を提供しようとするものである。
【課題を解決するための手段】
【００１２】
上記目的を達成するために、本発明のアプリは、観光客等が持って移動するモバイルコンピューター端末に内蔵された位置検出手段と、当該モバイルコンピューター端末にダウンロードされたアプリのコンテンツの閲覧の制限のロック機能を連動させ、前記モバイルコンピューター端末の存する位置と博物館等の遠近により、前記ロック機能が働いて閲覧が制限され、又は制限が解除されて閲覧ができるようにすることを特徴とする。
【００１３】
前記モバイルコンピューター端末の存する位置と博物館等との距離が遠い場合にはロック機能が働いてコンテンツの閲覧が制限される一方、近い場合には前記制限が解除されるようにしてもよい。
【００１４】
前記モバイルコンピューター端末の存する位置と博物館等との距離が近い場合には、モバイルコンピューター端末を持つ観光客が博物館等へ到着した場合を含めてもよい。
【００１５】
前記位置検出手段は、前記モバイルコンピューター端末に内蔵されたＧＰＳ（衛星利用測位システム）や、ビーコン又はＮＦＣ（Ｎｅａｒ Ｆｉｅｌｄ Ｃｏｍｍｕｎｉｃａｔｉｏｎ）のいずれを利用してもよい。
【００１６】
前記ロック機能が働いてモバイルコンピューター端末にダウンロードされたアプリのコンテンツの閲覧が制限されるのは前記コンテンツのうちの一部のコンテンツであり、その残余のコンテンツは閲覧が制限されないようにすることもできる。
【００１７】
前記ロック機能が働いて一部のコンテンツは閲覧が制限される場合にはアプリのダウンロードは無料とする一方、前記ロック機能が解除されてすべてのコンテンツの閲覧が制限されないようになる場合にはアプリのダウンロードは有料としてもよい。
【００１８】
前記ロック機能が解除されてすべてのコンテンツの閲覧が制限されなくなった場合で、当該アプリを有料でダウンロードした観光客には博物館等の入館料や入場料の一部又は全部を免除するようにしてもよい。
【発明の効果】
【００１９】
本発明によれば、モバイルコンピューター端末の存する位置と博物館等との遠近により、コンテンツの閲覧が制限されたり、その制限が解除されたりするので、モバイルコンピューター上のみで閲覧して、実際には博物館等へ来館・来場しないということを防止できる。また、一度アプリをダウンロードすれば、博物館等に来館・来場して観賞の目的を達成して、そこから遠く離れても永久にコンテンツの閲覧を制限されないという弊害を防止できる。
更に、博物館等の重要な所蔵品を館外等でむやみに閲覧できるようにしてしまうことも防止できる。
【００２０】
請求項２の発明によれば、観光客等が博物館等から遠いところにいる時はロック機能が働いて、モバイルコンピューターの端末にダウンロードされたアプリのコンテンツの閲覧が制限される一方、観光客等が博物館等と同一都道府県内にいる程度に博物館等に近づいた場合や、博物館等に到着した場合には、前記ロックが解除されてコンテンツの閲覧制限が解除される。このため、観光客の来館・来場等の意思をより正確に判断して閲覧の制限を解除できる。
【００２１】
請求項３の発明によれば、観光客等が博物館等へ到着した場合に、コンテンツの閲覧制限を解除できるので、博物館等へのより確実な来館・来場を把握することができる。
【００２２】
請求項４の発明によれば、博物館等に近づいたか又は到着したかは、モバイルコンピューター端末に内蔵されたＧＰＳによって検出されるので便利である。
【００２３】
請求項５の発明によれば、博物館等の近くに設置されたビーコンを利用してモバイルコンピューター端末の位置を検出するので、より正確な位置情報を取得することが出来る。また、ビーコンが自ら電波等を発するので、特に、モバイルコンピューター端末をかざす必要もない。
【００２４】
請求項６の発明によれば、近距離通信技術であるＮＦＣを利用してモバイルコンピューター端末の位置を検出するので、例えば、博物館等又はその近くにＩＣカードを設置しておけば、それにモバイルコンピューター端末をかざすだけでよく、また、電池や電源が不要であり、電池等の管理等をする必要がない。
【００２５】
請求項７の発明によれば、ロック機能が働いて閲覧が制限されるとしても、すべてのコンテンツが閲覧不能になるわけではなく、閲覧制限されないコンテンツは観光客等がいる位置にかかわらず閲覧できるので、アプリは広報宣伝に基づく集客機能を発揮できる。
【００２６】
請求項８の発明によれば、ロック機能が働いても閲覧が制限されないコンテンツは無料でダウンロードできるので、アプリは広報宣伝、集客機能を発揮できる。また、ロック機能が解除されてすべてのコンテンツが制限されなくなった場合、ダウンロードは有料であるので、対価を得て重要なコンテンツを閲覧させて展示品の説明、観賞機能を発揮できる。
【００２７】
請求項９の発明によれば、ロック機能が解除されてすべてのコンテンツを有料でダウンロードした観光客等に対しては入館、入場料の全部又は一部を免除するようにしたので、来館・来場する観光客等にとっては金銭負担が軽減され、積極的にダウンロードを促して有料でのダウンロードを増やすことができる。
【図面の簡単な説明】
【００２８】
【図１】本発明の実施の形態に係る、制作されたアプリのアップロード、観光客等によるアプリのダウンロード及びダウンロードによる収入の関係図である。
【図２】本発明の実施の形態に係る、ロック機能によるコンテンツの閲覧の制限とそれの解除の処理フロー図である。
【図３】本発明の実施の形態に係る、スマートフォン等にダウンロードされたアプリを利用して展示物（コンテンツ）を閲覧する説明図である。
【図４】本発明の実施の形態に係る、スマートフォン等と観光スポット、現在地の関係の説明図である。
【発明を実施するための形態】
【００２９】
本発明の実施の形態について、図面に基づいて説明する。
図１において、アプリ発注者Ａとしての博物館１はアプリ受注者２に制作料を支払ってアプリの制作を発注する。その際、前記博物館１は所有している各種展示品の説明用コンテンツをアプリ受注者２へ提供する。
なお、博物館等とは博物館、美術館または観光地等を意味し、城、庭園、資料館等をも含む。
アプリ受注者２はアプリ制作部門６がアプリ制作用コンピュータ―を使用してアプリを制作する。前記アプリは、翻訳者７又は機械翻訳８によって翻訳される場合もあり、コンテンツ編集・アプリ開発サーバーでアプリが完成される。
前記アプリは、例えば、博物館の展示品５０個について、それぞれその内容が説明される５０個のコンテンツを有する場合がある。完成されたアプリは、博物館１又はアプリ受注者２がアプリ提供サーバー９へ、アップロード１２又はアップロード１３する。
【００３０】
前記アプリは公式ストアサーバーＡ、１０又は公式ストアサーバーＢ,１１へ登録される場合もある。
【００３１】
前記公式ストアサーバーとは、例えばＡｐｐ Ｓｔｏｒｅ（登録商標）やＧｏｏｇｌｅ  Ｐｌａｙ（登録商標）のような、十分にセキュリティー、パフォーマンス、堅牢さ、容量を持った、社会的に信用のある公開サーバーであり、十分な通信容量も兼ね備えているものをいう。
【００３２】
前記アプリは、アプリ利用者Ａである観光客のスマートフォン端末３へダウンロード１６され、前記観光客は前記アプリのコンテンツを閲覧できる。前記アプリのダウンロードによる収入は、アプリ制作の受注者２が受ける場合もあり、博物館２が受ける場合もある。その後、博物館１及びアプリ受注者２で前記ダウンロード収入を配分する場合もある。
公式ストアサーバーを使用する場合には、一般的にはアプリのダウンロード料の約３０％を使用料として支払う。本発明において、アプリのダウンロード料が有料か無料かを言う時には、前記公式ストアサーバーの使用料は除外する。
なお、ダウンロード収入は公式ストアサーバーの使用料を除き、無料とされる場合もある。
【００３３】
図２はコンテンツ閲覧のロックとロック解除の処理フローである。
前記処理フローの「開始」２０の際には、「コンテンツロック（閲覧制限）」２１の状態になっている。スマートフォン等の位置検出手段、例えば、ＧＰＳで、「現在地が目的地に近い？」２２か否かが判断され、目的地に近ければ「ロック解除」２５が行われる。目的地とは博物館等である。前記目的地に近くなければ「ロック解除」２５行われない。
博物館等から遠い場合とは、博物館等へ入館する意思がないと考えられる場合で、例えば観光客が博物館等の存する位置と同一都道府県内にいない場合である。観光地へ近づいた場合とは、博物館等へ入館する意思があると考えられる場合で、例えば観光客が博物館等の存する位置と同一都道府県内にいる場合である。
【００３４】
次に、スマートフォン等が移動して、「Ｂｅａｃｏｎ（ビーコン）をキャッチ？」２３が判断され、キャッチすれば「ロック解除」２５が行われる。キャッチされなければ「ロック解除」２５は行われない。
前記ビーコンをキャッチできず、「ロック解除」２５が行われなかったとしても、スマートフォン等が博物館等へさらに移動し、別の位置に固定された別の「Ｂｅａｃｏｎをキャッチ？」２３でキャッチされれば「ロック解除」２５が行われ、キャッチされなければ、「ロック解除」２５は行われない。
前記ビーコンは電波等を発する固定された装置で、その信号を受信したモバイルコンピューター端末が現在地を知ることができるものである。
【００３５】
前記スマートフォン等が更に博物館等へ向かって移動して、より近距離通信手段である「ＮＦＣをキャッチ？」２４によってＩＣカード等のキャッチが行われれば、「ロック解除」２５が実行され、前記キャッチが行われなければ、「ロック解除」２５は行われず、再び「現在地が目的地に近い？」２２のプロセスに戻る。
【００３６】
前記閲覧制限がなくなって、観光客等が博物館等での展示品の観賞を終えて博物館等から離れれば「目的地から離れた？」２７のチェックが行われ、目的地から離れれば再び、「コンテンツのロック（閲覧制限）」２６がかかる。
前記スマートフォン等が目的地から離れていなければ、「ロック解除」２６がされたままである。
【００３７】
図３は博物館内部において展示物（コンテンツ）を閲覧する説明図である。
前記スマートフォン等にダウンロードされたアプリを利用して、コンテンツの一つである展示物３２を閲覧しようとする際、当該展示物３２の案内板（ポスター）３５に設けられたＩＣタグ３０にスマートフォン３１をかざし、音声スイッチ３３で、日本語、英語等の言語を選択すれば、インフォーメーション３４によって当該言語によって展示物３２の説明を受けられる。
【００３８】
前記博物館内にはこのような展示物（コンテンツ）がいくつも展示されており、前記スートフォンにおいては既にロックの解除が行われているので、閲覧は制限されない。博物館外でスマートフォン等においてロックされている場合には、博物館等の選択により展示物（コンテンツ）の閲覧が制限される。
この際、一部の展示物（コンテンツ）の閲覧は制限され、他の展示物（コンテンツ）の閲覧は制限されないようにしてもよい。
【００３９】
図４において（１）乃至（１０）は史跡、公園、神社、寺、池、橋等の観光スポットである。ａはスマートフォン等を持った観光客の現在位置である。本実施例においては、前記（１）乃至（１０）の各観光スポットがコンテンツを構成する。通常はロック機能が働いて、前記コンテンツの全部又は一部の閲覧が制限される。前記観光客が観光地に近づくと、スマートフォン等の位置検出の機能により、コンテンツの閲覧制限は解除され、すべてのコンテンツの閲覧が可能になる。
前記スマートフォン等の位置はＧＰＳや観光地に近くに設置されたＢｅａｃｏｎ、ＩＣカード、ＩＣタグ等との近距離通信手段ＮＦＣにより検出される。
前記ＮＦＣは近距離無線通信技術で、ＩＣタグやＩＣカードもこれに含まれる。
【００４０】
また、観光客はスマートフォン等に内蔵されたＧＰＳで自分の現在地ａを地図
上で知ることができて、目的の観光スポットへ行きやすくなる。すなわち、本アプリは経路案内機能をも有する。
【００４１】
上記実施の形態は、一例示であり、前記各構成要素や各処理の組み合わせに種々の変形例があること、また、そうした実施例も本発明の実施の形態の範囲に含まれるものである。以下前記変形例の一部について説明する。
【００４２】
例えば、図１の実施例において、展示品のみがアプリのコンテンツではなく、博物館等の内部の経路案内もコンテンツに含めることができる。そして、それもロックの対象として閲覧の制限をしたり、その解除をしたりすることができる。
【００４３】
また、その場合、経路案内はＧＰＳ、ＩＣカード、ＩＣタグ等のＮＦＣ、ビーコン等を使う方法もあるが、経路の分岐点等の各ポイントまで、選択した一連の画像を順次表示して案内するスライドショー形式で行うこともできる。
【００４４】
また、前記制作したアプリは公式ストアサーバーでなく、その他のアプリ提供サーバーへアップロードしてもよい。
【００４５】
また、図３の実施例において、展示品（コンテンツ）の説明は、日本語や英語のみでなくその他の言語も使う、いわゆる多言語対応にすることもでき、音声ガイドにすることもできる。
【００４６】
また、博物館内等において静粛性が求められる場合、イヤホンによる説明を選択することができる。
【００４７】
また、図４の実施例において、経路案内はスライドショー形式で行うこともできる。
【産業上の利用可能性】
【００４８】
本発明においては、博物館等によってアプリ提供サーバーへアップロードされたアプリが観光客のスマートフォン等へダウンロードされて利用され、その際、ロック機能によりコンテンツの閲覧が制限されたり、解除されたりすることにより、観光客が博物館等へ来館・来場する意欲が高まるとともに、博物館等の内部では、展示品等を当該アプリにより十分に説明を受けられ、鑑賞できるので、博物館等にとっても観光客にとっても、非常に有益である。
【符号の説明】
【００４９】
１  アプリ発注者Ａ（博物館）
２  アプリ受注者
３  アプリ利用者Ａ(観光客)
４  アプリ制作用コンピュータ―
５  コンテンツ編集・アプリ開発サーバー
６  アプリ制作部部門
７  翻訳者
８  機械翻訳
９  アプリ提供サーバー
１０  公式ストアサーバーＡ
１１  公式ストアサーバーＢ
１２  アプリアップロード
１３  アプリアップロード
１４  ダウンロードによる収入
１５  ダウンロードによる収入
１６  アプリダウンロード
２０  開始（ロック、ロック解除）
２１  コンテンツのロック（閲覧制限）
２２  現在地が目的地に近い？
２３  Ｂｅａｃｏｎをキャッチ？
２４  ＮＦＣをキャッチ？
２５  ロック解除
２６  コンテンツのロック（閲覧制限）
２７  現在地が目的地から離れた？
３０  ＩＣタグ
３１  スマートフォン
３２  博物館展示物
３３  音声スイッチ
３４  インフォーメーションスイッチ
３５  案内板（ポスター）
【図１】
2018041422.tif 000003
【図２】
2018041422.tif 000004
【図３】
2018041422.tif 000005
【図４】
2018041422.tif 000006